(57)【要約】【課題】音声通話手段による発信履歴又は着信履歴から送信先を選択して電子メール手段を起動する際に、その送信メールの件名などを自動的に設定することにより、電子メール送信時のユーザの手間を削減できるようにする。【解決手段】電子メール作成装置１０は、音声通話手段２３による発信履歴を保持する発信履歴手段１２、着信履歴を保持する着信履歴手段１３、前記発信履歴あるいは着信履歴から電子メール作成画面を起動して電子メールを作成／送信するメール送信手段１１、前記電子メール作成画面の件名欄に電子メールの件名を設定するメール件名設定手段１５、電子メールの件名情報を記憶したメール件名記憶手段１７を備える。メール件名設定手段１５は、前記発信履歴あるいは着信履歴から前記電子メール作成画面を起動したときに、メール件名記憶手段１７に記憶されている件名情報を前記電子メール作成画面の件名欄に設定する。【選択図】図１
2005260555.tif 000002
【特許請求の範囲】
【請求項１】
通話を行う音声通話手段と、該音声通話手段による発信履歴及び／又は着信履歴を保持する履歴保持手段と、前記発信履歴あるいは着信履歴から電子メール作成画面を起動して電子メールを作成／送信する電子メール手段とを備えた電子メール作成装置において、前記電子メール作成画面の件名欄に電子メールの件名を設定するメール件名設定手段と、電子メールの件名情報を記憶したメール件名記憶手段とを備え、前記メール件名設定手段は、前記発信履歴あるいは着信履歴から前記電子メール作成画面を起動したときに、前記メール件名記憶手段に記憶されている件名情報を、前記電子メール作成画面の件名欄に設定することを特徴とする電子メール作成装置。
【請求項２】
電子メールの件名を生成するメール件名生成手段を備え、該メール件名生成手段により生成される件名は、発信あるいは着信した電話の件である旨を示す文言であることを特徴とする請求項１に記載の電子メール作成装置。
【請求項３】
連絡先の電話番号と、その電子メールアドレス及びグループ情報を関連付けて登録する連絡先情報登録手段を備え、前記メール件名記憶手段は、電子メールの件名情報を前記連絡先情報登録手段のグループ毎に記憶して有し、前記メール件名設定手段は、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報を前記メール件名記憶手段から選択して前記電子メール作成画面の件名欄に設定することを特徴とする請求項１に記載の電子メール作成装置。
【請求項４】
前記メール件名記憶手段に記憶されている電子メールの件名情報を前記連絡先情報登録手段のグループ毎に編集するメール件名編集手段を備えていることを特徴とする請求項３に記載の電子メール作成装置。
【請求項５】
連絡先の電話番号と、その電子メールアドレス及びグループ情報を関連付けて登録する連絡先情報登録手段を備え、前記メール件名記憶手段は、電子メールの件名情報を前記連絡先情報登録手段のグループ毎に記憶して有し、前記メール件名設定手段は、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報が前記メール件名記憶手段に記憶されていない場合、前記メール件名生成手段により生成された件名を前記電子メール作成画面の件名欄に設定することを特徴とする請求項２に記載の電子メール作成装置。
【請求項６】
前記電子メール作成画面の本文欄に電子メールの本文を設定するメール本文設定手段と、電子メールの本文情報を少なくとも１つ記憶したメール本文記憶手段とを備え、前記メール本文設定手段は、前記発信履歴あるいは着信履歴から前記電子メール作成画面を起動したときに、前記メール本文記憶手段に記憶されている本文情報を、前記電子メール作成画面の本文欄に設定することを特徴とする請求項１乃至５のいずれか１に記載の電子メール作成装置。
【請求項７】
前記メール本文設定手段は、前記発信履歴あるいは着信履歴から前記電子メール作成画面を起動したときに、前記メール本文記憶手段に記憶されている本文情報の一覧を表示し、該一覧からユーザにより選択された本文情報を前記電子メール作成画面の本文欄に設定することを特徴とする請求項６に記載の電子メール作成装置。
【請求項８】
前記メール本文記憶手段に記憶されている電子メールの本文情報を編集するメール本文編集手段を備えていることを特徴とする請求項６又は７に記載の電子メール作成装置。
【請求項９】
前記電子メール作成画面の宛先欄に電子メールアドレスを設定するメール宛先設定手段を備え、該メール宛先設定手段は、前記発信履歴あるいは着信履歴から前記電子メール作成画面を起動したときに、該発信履歴あるいは着信履歴から選択された電話番号を前記連絡先情報登録手段から検索し、該検索された電話番号に対応する電子メールアドレスを特定し、該特定した電子メールアドレスを前記電子メール作成画面の宛先欄に設定することを特徴とする請求項３又は５に記載の電子メール作成装置。
【請求項１０】
請求項１乃至９のいずれか１に記載の電子メール作成装置を備えた携帯電話機。
【請求項１１】
通話を行う音声通話手段と、該音声通話手段による発信履歴及び／又は着信履歴を保持する履歴保持手段と、前記発信履歴あるいは着信履歴から電子メール作成画面を起動して電子メールを作成／送信する電子メール手段とを備えた電子メール作成装置を用いて電子メールの作成支援を行う電子メール作成支援方法において、電子メールの件名情報をメール件名記憶手段に記憶して有し、前記発信履歴あるいは着信履歴から前記電子メール作成画面を起動したときに、前記メール件名記憶手段に記憶されている件名情報を、前記電子メール作成画面の件名欄に設定することを特徴とする電子メール作成支援方法。
【請求項１２】
連絡先の電話番号とその電子メールアドレス及びグループ情報を関連付けて連絡先情報登録手段に登録し、電子メールの件名情報を前記連絡先情報登録手段のグループ毎に前記メール件名記憶手段に記憶して有し、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報を前記メール件名記憶手段から選択して前記電子メール作成画面の件名欄に設定することを特徴とする請求項１１に記載の電子メール作成支援方法。
【請求項１３】
連絡先の電話番号とその電子メールアドレス及びグループ情報を関連付けて連絡先情報登録手段に登録し、電子メールの件名情報を前記連絡先情報登録手段のグループ毎に前記メール件名記憶手段に記憶して有し、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報が前記メール件名記憶手段に記憶されていない場合、前記グループに対応する件名を生成して前記電子メール作成画面の件名欄に設定することを特徴とする請求項１１に記載の電子メール作成支援方法。
【請求項１４】
電子メールの本文情報を少なくとも１つメール本文記憶手段に記憶して有し、前記発信履歴あるいは着信履歴から前記電子メール作成画面を起動したときに、前記メール本文記憶手段に記憶されている本文情報を、前記電子メール作成画面の本文欄に設定することを特徴とする請求項１１乃至１３のいずれか１に記載の電子メール作成支援方法。
【請求項１５】
前記発信履歴あるいは着信履歴から前記電子メール作成画面を起動したときに、前記メール本文記憶手段に記憶されている本文情報の一覧を表示し、該一覧からユーザにより選択された本文情報を前記電子メール作成画面の本文欄に設定することを特徴とする請求項１４に記載の電子メール作成支援方法。
【請求項１６】
前記発信履歴あるいは着信履歴から前記電子メール作成画面を起動したときに、該発信履歴あるいは着信履歴から選択された電話番号を前記連絡先情報登録手段から検索し、該検索された電話番号に対応する電子メールアドレスを特定し、該特定した電子メールアドレスを前記電子メール作成画面の宛先欄に設定することを特徴とする請求項１２又は１３に記載の電子メール作成支援方法。
【発明の詳細な説明】
【技術分野】
【０００１】
本発明は、電子メール作成装置、携帯電話機、及び電子メール作成支援方法、より詳細には、固定（一般加入）電話、携帯電話、または通信機能を有するＰＣ（パーソナルコンピュータ）、ＰＤＡ（携帯情報端末）などの音声通話手段を備え、かつ電子メール手段を備えた装置及び該装置を用いた電子メール作成支援方法に関するものである。
【背景技術】
【０００２】
従来の技術によれば、電子メール（以下、単にメールという）の送信履歴や受信履歴からメール送信を選択した場合、履歴中から選択されたメールの件名の先頭に“Ｆｗ：”、“Ｒｅ：”などを付加したものを、新規送信するメールの件名として設定することが行われている。一方、電話の発着信の履歴から、メール送信を選択した場合、送信メールの宛先欄に、電話帳から検索した電話番号に対応するメールアドレスを設定するものはあったが、件名や本文を自動的に設定できるようにしたものは無く、従って、これら件名などは空白の状態でメール送信機能が起動していた。
【０００３】
例えば、特許文献１に開示されている技術によれば、電話の着信に応答しなかった場合に、発信者の電話番号及び着信日時などを内容に含む通知メールを作成し、あらかじめ登録しておいた不在着信時の通知先メールアドレスを宛先としたメール送信を自動的に行うことを可能としている。
【特許文献１】特開２００３−２１９４６９号公報
【発明の開示】
【発明が解決しようとする課題】
【０００４】
しかしながら、上記特許文献１に記載の発明は、電話の着信に対してメールの送信を行うものであるが、ユーザに掛かってきた電話の不在着信を予め設定したメールアドレスに通知するためのものであり、メールの宛先が発着信履歴から取得した相手ではない上に、件名を自動的に設定するものではない。さらに、メールの送信を行うのが不在着信時であり、メールの内容が不在着信の通知に限られていた。
【０００５】
このように、従来の技術によれば、電話の発着信の履歴から、メール送信を選択した場合、送信メールの宛先欄に、電話帳から検索した電話番号に対応するメールアドレスを設定するものはあったが、メールの件名や本文は自動的に設定されることは無く、これら件名などを空白の状態でメール送信機能が起動するため、ユーザは特に意味のある件名や内容を思いつかない場合であっても、その都度考えながら設定しなければならず、煩雑な手間を強いられることとなっていた。また、上記件名や内容の設定を省略し、空白のまま送信することも可能ではあるが、そのようなメールを受信した相手は何のことか分からず、結果として、受信相手に対し不要な混乱を生じさせてしまう。
【０００６】
本発明は、上述のごとき実情に鑑みてなされたものであり、音声通話手段及び電子メール手段を備えた装置において、音声通話手段による発信履歴を保持する発信履歴手段あるいは着信履歴を保持する着信履歴手段から送信先を選択して電子メール手段を起動する際に、その送信メールの件名や本文などを自動的に設定することにより、電子メール送信時におけるユーザの手間を削減できるようにすること、を目的としてなされたものである。
【課題を解決するための手段】
【０００７】
上記課題を解決するために、本発明の第１の技術手段は、通話を行う音声通話手段と、該音声通話手段による発信履歴及び／又は着信履歴を保持する履歴保持手段と、前記発信履歴あるいは着信履歴から電子メール作成画面を起動して電子メールを作成／送信する電子メール手段とを備えた電子メール作成装置において、前記電子メール作成画面の件名欄に電子メールの件名を設定するメール件名設定手段と、電子メールの件名情報を記憶したメール件名記憶手段とを備え、前記メール件名設定手段は、前記発信履歴あるいは着信履歴から前記電子メール作成画面を起動したときに、前記メール件名記憶手段に記憶されている件名情報を、前記電子メール作成画面の件名欄に設定することを特徴としたものである。
【０００８】
第２の技術手段は、第１の技術手段において、電子メールの件名を生成するメール件名生成手段を備え、該メール件名生成手段により生成される件名は、発信あるいは着信した電話の件である旨を示す文言であることを特徴としたものである。
【０００９】
第３の技術手段は、第１の技術手段において、連絡先の電話番号と、その電子メールアドレス及びグループ情報を関連付けて登録する連絡先情報登録手段を備え、前記メール件名記憶手段は、電子メールの件名情報を前記連絡先情報登録手段のグループ毎に記憶して有し、前記メール件名設定手段は、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報を前記メール件名記憶手段から選択して前記電子メール作成画面の件名欄に設定することを特徴としたものである。
【００１０】
第４の技術手段は、第３の技術手段において、前記メール件名記憶手段に記憶されている電子メールの件名情報を前記連絡先情報登録手段のグループ毎に編集するメール件名編集手段を備えていることを特徴としたものである。
【００１１】
第５の技術手段は、第２の技術手段において、連絡先の電話番号と、その電子メールアドレス及びグループ情報を関連付けて登録する連絡先情報登録手段を備え、前記メール件名記憶手段は、電子メールの件名情報を前記連絡先情報登録手段のグループ毎に記憶して有し、前記メール件名設定手段は、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報が前記メール件名記憶手段に記憶されていない場合、前記メール件名生成手段により生成された件名を前記電子メール作成画面の件名欄に設定することを特徴としたものである。
【００１２】
第６の技術手段は、第１乃至第５のいずれかの技術手段において、前記電子メール作成画面の本文欄に電子メールの本文を設定するメール本文設定手段と、電子メールの本文情報を少なくとも１つ記憶したメール本文記憶手段とを備え、前記メール本文設定手段は、前記発信履歴あるいは着信履歴から前記電子メール作成画面を起動したときに、前記メール本文記憶手段に記憶されている本文情報を、前記電子メール作成画面の本文欄に設定することを特徴としたものである。
【００１３】
第７の技術手段は、第６の技術手段において、前記メール本文設定手段は、前記発信履歴あるいは着信履歴から前記電子メール作成画面を起動したときに、前記メール本文記憶手段に記憶されている本文情報の一覧を表示し、該一覧からユーザにより選択された本文情報を前記電子メール作成画面の本文欄に設定することを特徴としたものである。
【００１４】
第８の技術手段は、第６又は第７の技術手段において、前記メール本文記憶手段に記憶されている電子メールの本文情報を編集するメール本文編集手段を備えていることを特徴としたものである。
【００１５】
第９の技術手段は、第３又は第５の技術手段において、前記電子メール作成画面の宛先欄に電子メールアドレスを設定するメール宛先設定手段を備え、該メール宛先設定手段は、前記発信履歴あるいは着信履歴から前記電子メール作成画面を起動したときに、該発信履歴あるいは着信履歴から選択された電話番号を前記連絡先情報登録手段から検索し、該検索された電話番号に対応する電子メールアドレスを特定し、該特定した電子メールアドレスを前記電子メール作成画面の宛先欄に設定することを特徴としたものである。
【００１６】
第１０の技術手段は、第１乃至第９の技術手段のいずれかの電子メール作成装置を備えた携帯電話機であることを特徴としたものである。
【００１７】
第１１の技術手段は、通話を行う音声通話手段と、該音声通話手段による発信履歴及び／又は着信履歴を保持する履歴保持手段と、前記発信履歴あるいは着信履歴から電子メール作成画面を起動して電子メールを作成／送信する電子メール手段とを備えた電子メール作成装置を用いて電子メールの作成支援を行う電子メール作成支援方法において、電子メールの件名情報をメール件名記憶手段に記憶して有し、前記発信履歴あるいは着信履歴から前記電子メール作成画面を起動したときに、前記メール件名記憶手段に記憶されている件名情報を、前記電子メール作成画面の件名欄に設定することを特徴としたものである。
【００１８】
第１２の技術手段は、第１１の技術手段において、連絡先の電話番号とその電子メールアドレス及びグループ情報を関連付けて連絡先情報登録手段に登録し、電子メールの件名情報を前記連絡先情報登録手段のグループ毎に前記メール件名記憶手段に記憶して有し、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報を前記メール件名記憶手段から選択して前記電子メール作成画面の件名欄に設定することを特徴としたものである。
【００１９】
第１３の技術手段は、第１１の技術手段において、連絡先の電話番号とその電子メールアドレス及びグループ情報を関連付けて連絡先情報登録手段に登録し、電子メールの件名情報を前記連絡先情報登録手段のグループ毎に前記メール件名記憶手段に記憶して有し、前記発信履歴あるいは着信履歴から前記電子メール作成画面を起動したときに、該発信履歴あるいは着信履歴から選択された電話番号を前記連絡先情報登録手段から検索し、該検索された電話番号に対応するグループを特定し、該特定したグループに対応する件名情報が前記メール件名記憶手段に記憶されていない場合、前記グループに対応する件名を生成して前記電子メール作成画面の件名欄に設定することを特徴としたものである。
【００２０】
第１４の技術手段は、第１１乃至第１３のいずれかの技術手段において、電子メールの本文情報を少なくとも１つメール本文記憶手段に記憶して有し、前記発信履歴あるいは着信履歴から前記電子メール作成画面を起動したときに、前記メール本文記憶手段に記憶されている本文情報を、前記電子メール作成画面の本文欄に設定することを特徴としたものである。
【００２１】
第１５の技術手段は、第１４の技術手段において、前記発信履歴あるいは着信履歴から前記電子メール作成画面を起動したときに、前記メール本文記憶手段に記憶されている本文情報の一覧を表示し、該一覧からユーザにより選択された本文情報を前記電子メール作成画面の本文欄に設定することを特徴としたものである。
【００２２】
第１６の技術手段は、第１２又は第１３の技術手段において、前記発信履歴あるいは着信履歴から前記電子メール作成画面を起動したときに、該発信履歴あるいは着信履歴から選択された電話番号を前記連絡先情報登録手段から検索し、該検索された電話番号に対応する電子メールアドレスを特定し、該特定した電子メールアドレスを前記電子メール作成画面の宛先欄に設定することを特徴としたものである。
【発明の効果】
【００２３】
音声通話手段及び電子メール手段を備えた装置において、音声通話手段による発信履歴を保持する発信履歴手段あるいは着信履歴を保持する着信履歴手段から送信先を選択して電子メール手段を起動する際に、その送信メールの件名や本文などを自動的に設定することができるため、電子メール送信時におけるユーザの手間を大幅に削減することができる。
【発明を実施するための最良の形態】
【００２４】
本発明の電子メール作成装置は、例えば、固定（一般加入）電話、携帯電話、または、通信機能を有するＰＣ（パーソナルコンピュータ）、ＰＤＡ（携帯情報端末）など、音声通話手段を備え、かつ電子メール手段を備える装置全般に適用可能とし、音声通話手段による発信履歴を保持する発信履歴手段あるいは着信履歴を保持する着信履歴手段から送信先を選択して電子メール手段を起動する際に、予め設定しておいた件名や本文などを自動的に設定するように動作し、例えば、先に着信した電話の件である旨を示す件名などを自動設定できるようにしたものである。
【００２５】
図１は、本発明の一実施形態である電子メール作成装置の構成例を示すブロック図で、図中、１０は電子メール作成装置で、該電子メール作成装置（以下、単にメール作成装置という）１０は、メール送信手段１１，発信履歴手段１２，着信履歴手段１３，連絡先情報登録手段（以下、電話帳手段という）１４，メール件名設定手段１５，メール件名生成手段１６，メール件名記憶手段１７，メール件名編集手段１８，メール本文設定手段１９，メール本文記憶手段２０，メール本文編集手段２１を備え、これら各手段は、具体的には、図示しない論理回路やＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）などのメモリ装置、制御プログラムなどから構成されている。また、電子メール作成装置１０は、通話を行う音声通話手段（電話手段）２３を備え、音声通話手段２３による発信履歴を発信履歴手段１２に保持し、着信履歴を着信履歴手段１３に保持する。尚、発信履歴手段１２、着信履歴手段１３はいずれか一方のみ備える構成としてもよい。
【００２６】
以下、メール作成装置１０が備える上記各手段の機能について詳細に説明する。
メール送信手段１１は、電子メール作成画面を起動し、この電子メール作成画面により作成された電子メールをインターネットまたはその他のネットワーク経由で送信することができる。当然ながら、メール送信手段１１は電子メールの送信だけでなく、受信することもできる。メール送信手段１１による電子メールの送信に先立ち、メール件名設定手段１５による送信メールの件名情報、メール本文設定手段１９による送信メールの本文情報、メール宛先設定手段２２による送信メールの宛先情報（メールアドレス）のいずれか１又は複数が、電子メール作成画面の件名欄、本文欄、宛先欄にそれぞれ自動的に設定される。
【００２７】
発信履歴手段１２は、過去に発信操作を行った相手の電話番号を記憶しており、メール送信を行う際には、電話帳手段１４に対して電話番号を通知する。着信履歴手段１３は、過去に着信した相手の電話番号を記憶しており、メール送信を行う際には、電話帳手段１４に対して電話番号を通知する。電話帳手段１４は、少なくとも相手先電話番号とメールアドレスを関連付けて記憶しており、メール送信を行う際には、発信履歴手段１２または着信履歴手段１３から通知される相手先の電話番号を検索し、その結果、検索された相手先電話番号に対応するメールアドレスをメール宛先設定手段２２に通知すると共に、さらに、相手先電話番号にグループ情報が関連付けされている場合、対応するグループ情報をメール件名記憶手段１７に通知する。
【００２８】
上記発信履歴手段１２、着信履歴手段１３、電話帳手段１４の具体例として、例えばフラッシュメモリやＥＥＰＲＯＭ（Ｅｌｅｃｔｒｉｃ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性のメモリ装置が好適に適用される。
【００２９】
メール件名設定手段１５は、メール件名生成手段１６またはメール件名記憶手段１７から通知される件名をメール送信手段１１に通知し、送信メールの件名欄に設定する。メール件名生成手段１６は、先の（発信あるいは着信した）電話の件である旨を示す文言、例えば「お電話いただいた件」などを件名パターンとして予め用意しておき、メール件名設定手段１５に通知する。一方、メール件名記憶手段１７は、メール送信の際の件名を電話帳手段１４のグループごとに予め記憶しておき、電話帳手段１４から電話番号に対応するグループの通知を受け、当該グループに対応する件名をメール件名設定手段１５に通知する。メール件名編集手段１８は、電話帳手段１４のグループごとに記憶されたメール件名記憶手段１７の記憶内容に対して設定、変更、消去などの編集を行うものである。
【００３０】
メール本文設定手段１９は、メール本文記憶手段２０が通知する文章を、メール送信手段１１に通知し、送信メールの本文欄に設定する。メール本文記憶手段２０は、少なくとも１つの文章を本文パターンとして予め記憶しておき、メールの送信時には、記憶した文章の一覧から、ユーザが選択した１つの文章を本文として、メール本文設定手段１９に通知する。メール本文編集手段２１は、メール本文記憶手段２０の記憶内容に対して設定、変更、消去などの編集を行うものである。
【００３１】
メール宛先設定手段２２は、電話帳手段１４から通知される電話番号に対応するメールアドレスを、メール送信手段１１に通知し、送信メールの宛先欄（すなわち、送信先メールアドレス入力欄）に設定する。
【００３２】
次に、本発明のメール作成装置１０による件名や本文等の自動設定処理の流れについて説明する。
まず、ユーザが、発信履歴手段１２または着信履歴手段１３から履歴の１つを選択し、メール送信を選択すると、メール送信手段１１（すなわち、電子メール作成画面）が起動する。その際、発信履歴手段１２または着信履歴手段１３の履歴からユーザにより選択された宛先電話番号が電話帳手段１４に通知される。宛先電話番号を通知された電話帳手段１４は、登録電話番号の中に宛先電話番号が存在するかどうかを検索する。宛先電話番号が存在する場合、その宛先電話番号に対応するグループの登録があるかどうかを確認する。グループの登録がある場合、そのグループをメール件名記憶手段１７に対して通知する。グループの通知を受けたメール件名記憶手段１７は、グループに対応する件名が記憶されているかどうかを確認する。グループに対応する件名が記憶されている場合、その件名をメール件名設定手段１５に対して通知することにより、送信メールの件名が設定される。
【００３３】
一方、電話帳手段１４の登録電話番号の中に宛先電話番号が存在しない場合、または対応するグループの登録が無い場合、またはメール件名記憶手段１７に対応する件名が記憶されていない場合は、メール件名生成手段１６が、予め準備しておいた、先の電話の件である旨を示す文言、例えば「お電話の件」や「お電話いただいた件」などの件名をメール件名設定手段１５に対して通知することにより件名が設定される。
【００３４】
また、電話帳手段１４は、登録電話番号の中に宛先電話番号に対応するメールアドレスの登録があるかどうかを確認する。メールアドレスの登録がある場合は、そのメールアドレスを宛先として、メール宛先設定手段２２に通知することにより、宛先が設定される。一方、電話帳手段１４の登録電話番号の中に宛先電話番号が存在しない場合、または対応するメールアドレスの登録が無い場合は、メール宛先設定手段２２に宛先は通知されず、宛先欄は空欄となる。
【００３５】
また、メール本文記憶手段２０は、少なくとも１つの文章が記憶されているかどうかを確認し、文章が記憶されている場合には、その文章の一覧の中から、ユーザが選択した１つの文章を本文として、メール本文設定手段１９に対し通知することにより本文欄が設定される。一方、メール本文記憶手段２０に文章が記憶されていない場合、または、ユーザが記憶されている文章のいずれも設定しないことを選択した場合は、メール本文設定手段１９に対し本文は通知されず、本文欄は空欄となる。
【００３６】
以上、本発明のメール作成装置１０において、発信履歴手段１２または着信履歴手段１３から履歴の１つを選択し、メール送信を行ったときの動作例について説明した。このように、メール送信に先立ち、グループ毎にメール送信の際に設定する件名は件名パターンとしてメール件名記憶手段１７に、メール送信の際に設定する本文は本文パターンとしてメール本文記憶手段２０に予め登録しておく。また、メール件名編集手段１８は、電話帳手段１４のグループごとに記憶されたメール件名記憶手段１７の記憶内容に対して設定、変更、消去などの編集操作を行うことができる。尚、上記件名を必ずしもすべてのグループに対して設定しておく必要は無く、グループに対応する件名が無い場合にはメール件名生成手段１６により生成される件名が設定される。また、メール本文編集手段２１は、メール本文記憶手段２０の記憶内容に対して設定、変更、消去などの編集操作を行うことができる。
【００３７】
図２は、本発明のメール作成装置１０を用いた電子メール作成支援方法の一例を説明するためのフロー図である。図３は、本発明のメール作成装置１０が備える電話帳手段１４のグループ設定から件名を設定する際の動作例を説明するための図である。本例では、本メール作成装置１０が実装された携帯電話機（以下、携帯電話機１０という）を代表例として説明する。
【００３８】
図２において、電話帳手段１４に登録されている電話番号（及びメールアドレス）に対して、発信履歴手段１２または着信履歴手段１３からメール送信を行う場合について説明する。
まず、携帯電話機１０の画面上に発信履歴または着信履歴の一覧表示を行い（ステップＳ１）、いずれかの履歴が表示された場合（ＹＥＳの場合）、ユーザによりキー操作がされたかどうかを判断する（ステップＳ２）。上記ステップＳ１において、履歴が表示されない場合（ＮＯの場合）、履歴表示が可能となるまでステップＳ１で待機する。
【００３９】
上記ステップＳ２において、ユーザによりキー操作がされた場合（ＹＥＳの場合）、各キー操作に対応した処理が行われる。また、上記ステップＳ２において、キー操作が無い場合（ＮＯの場合）、キー操作があるまでステップＳ２で待機する。
【００４０】
ここで、図３に示す着信履歴手段１３のように、例えば着信履歴の一覧が表示されている中で、上から２番目に表示されている電話番号の相手に対しメールの送信を行う場合を考える。通常、履歴の一覧を表示した時点では、その履歴一覧の一番上に表示される電話番号（本例では「０２３４５６７８９０」）が選択されている。従って、上から２番目の電話番号を選択するために、例えば↓（下矢印）キーを押す。すると選択対象となる電話番号が一番上に表示されているものから、上から２番目に表示されているものに移ると共に、ユーザからのキー入力が認識され、上記ステップＳ２でＹＥＳに移行する。
【００４１】
次に、上記キー入力によってメール送信の操作がなされたのかどうか判断し（ステップＳ３）、メール送信の操作ではない場合（ＮＯの場合）、上記ステップＳ２に戻り再度キー操作を待つ状態となる。この際、無効なキー操作を行った場合も同様に、再度キー操作を待つ状態となる。また、上記ステップＳ３において、メール送信を行うキー操作がなされた場合（ＹＥＳの場合）、メール送信手段１１、すなわち電子メール作成画面を起動する（ステップＳ４）。このキー操作は単独のキーでも良いし、複数のキーの組み合わせでも良く、また、メール送信手段１１はメール送信にかかわる機能全般、すなわちメールの送信機能のみならず、送信メールの各設定項目の入力や編集の機能までも備えているものとする。
【００４２】
次に、上記ステップＳ４において、メール送信手段１１を起動した後、履歴一覧の中から宛先電話番号の取得を試みる（ステップＳ５）。すなわち、履歴一覧の電話番号の中に宛先電話番号が存在するかどうか判断し（ステップＳ６）、宛先電話番号が履歴一覧に存在する場合（ＹＥＳの場合）、すなわち、図３に示す着信履歴手段１３において、例えば、上から２番目の電話番号「０３４５６７８９０１」が宛先電話番号として取得できた場合には、その取得した宛先電話番号を電話帳手段１４から検索する（ステップＳ７）。一方、上記ステップＳ６において、電話番号非通知設定にしたときの着信履歴のように、履歴一覧から宛先電話番号を取得できない場合（ＮＯの場合）、ステップＳ１１に移行して、送信メールの宛先欄が空白に設定される（ステップＳ１１）。
【００４３】
次に、上記ステップＳ７において、履歴一覧から選択された宛先電話番号を電話帳手段１４の中から検索した後、当該宛先電話番号の登録の有無を判断する（ステップＳ８）。電話帳手段１４の中に宛先電話番号が登録されていない場合（ＮＯの場合）、上記ステップＳ１１に移行して、送信メールの宛先欄が空白に設定される。また、上記ステップＳ８において、電話帳手段１４の中に宛先電話番号が登録されている場合（ＹＥＳの場合）、すなわち、図３に示す電話帳手段１４において、例えば、宛先電話番号「０３４５６７８９０１」の登録を見つけた場合。その宛先電話番号に対応するメールアドレスが登録されているかどうかを検査する（ステップＳ９）。
【００４４】
上記ステップＳ９において、メールアドレスが電話帳手段１４に登録されている場合（ＹＥＳの場合）、そのメールアドレスを送信メールの宛先欄に設定する（ステップＳ１０）。すなわち、図３に示す電話帳手段１４において、宛先電話番号「０３４５６７８９０１」に対応するメールアドレス「ｍａｒｕｋｏ＠ａｂｃ．ｃｏｍ」が登録されているため、このメールアドレスを送信メールの宛先欄に設定する。一方、上記ステップＳ９において、対応するメールアドレスが電話帳手段１４に登録されていない場合（ＮＯの場合）、送信メールの宛先欄は空白で設定される（ステップＳ１２）。
【００４５】
次に、宛先電話番号に対応するグループが電話帳手段１４に登録されているかどうかを検査する（ステップＳ１３）。ここで、グループというのは、電話帳手段１４に登録されているそれぞれの連絡先が、どのような分類に属しているかを示すものであり、例えば、会社関係、友人関係、親戚関係といったものが考えられる。上記ステップＳ１３において、電話帳手段１４にグループが登録されている場合（ＹＥＳの場合）、メール件名記憶手段１７中にそのグループに対応した件名が記憶されているかどうかを判断する（ステップＳ１４）。
【００４６】
上記ステップＳ１４において、グループに対応した件名がメール件名記憶手段１７中に記憶されている場合（ＹＥＳの場合）、そのグループに対応した件名を、メール送信を行う際の件名として設定する（ステップＳ１５）。
具体的には、図３に示すように、例えば、メール件名記憶手段１７が、会社関係のグループに対応する件名として「お電話いただいた件」を記憶し、また、友人関係のグループに対応する件名として「電話どうもです」を記憶し、また、親戚関係のグループに対応する件名は何も記憶されていない、という状態であったとすると、電話帳手段１４において、電話番号「０３４５６７８９０１」のグループが「友人」に設定されているため、メール件名記憶手段１７中の友人に対応する件名「電話どうもです」を、メール送信を行う際の件名として設定する。これらのグループに対応する件名はユーザの使用シーンに応じて、ユーザ自身が任意に適切な表現となるように設定を行うことができる。
【００４７】
一方、上記ステップＳ１３において、電話帳手段１４にグループが登録されていない場合（ＮＯの場合）、また、上記ステップＳ１４において、電話帳手段１４にグループ登録されている場合であって且つメール件名記憶手段１７中にそのグループに対応した件名が記憶されていない場合（ＮＯの場合）、メール件名生成手段１６が、予め登録しておいた、先の電話の件である旨を示す文言、例えば「電話の件」などを、メール送信を行う際の件名として設定する（ステップＳ１６）。
【００４８】
ここで、上記ステップＳ６において、宛先電話番号を履歴一覧から取得できない場合（ＮＯの場合）、あるいは、上記ステップＳ８において、宛先電話番号が電話帳手段１４に登録されていない場合（ＮＯの場合）、上記ステップＳ１１で送信メールの宛先欄を空白に設定した後に、上記ステップＳ１６に移行して、メール件名生成手段１６がメール送信を行う際の件名（例えば、「電話の件」など）を設定する。
【００４９】
次に、メール本文に設定するための文章がメール本文記憶手段２０に記憶されているかどうか検査する（ステップＳ１７）。この文章は、例えば、「今移動中ですので電話に出ることができません」、「この間の電話の件について補足です」など、ユーザの使用シーンに応じて、ユーザ自身が任意に設定を行う。上記ステップＳ１７において、メール本文に設定する文章がメール本文記憶手段２０に記憶されている場合（ＹＥＳの場合）、記憶されている文章の一覧からユーザが選択した１つを、メール送信を行う際の本文として設定する。この際、上記文章一覧中のいずれも選択設定しないという選択をしてもよい（ステップＳ１８）。
【００５０】
上記ステップＳ１８について、メール本文記憶手段２０に、例えば「今移動中ですので電話に出ることができません」、「この間の電話の件について補足です」の２つの文章が記憶されている場合、ユーザが本文として選択可能な文章は、上記２つの文章のうちいずれかとなる。これに加えて、上記いずれの文章も設定しない、という選択肢を入れてもよく、この場合、ユーザは３つの選択肢の中から選択を行うことができる。
【００５１】
次に、本文非設定（すなわち、本文に文章設定しない）が選択されたかどうか判断し（ステップＳ１９）、いずれの文章も設定しない以外を選択した場合、すなわち、何かしらの文章を選択した場合（ＮＯの場合）、メール本文記憶手段２０に記憶されている文章からユーザにより選択された１つを、メール送信を行う際の本文として設定する（ステップＳ２０）。一方、上記ステップＳ１９において、本文非設定が選択された場合（ＹＥＳの場合）、あるいは、上記ステップＳ１７において、メール本文に設定する文章がメール本文記憶手段２０に記憶されていない場合（ＮＯの場合）、送信メールの本文欄は空白に設定される（ステップＳ２１）。この後、未設定項目の編集を行ったり、本文の追加を行ったりした後に、メール送信あるいは作成したメールの保存などを行う（ステップＳ２２）。
【図面の簡単な説明】
【００５２】
【図１】本発明の一実施形態である電子メール作成装置の構成例を示すブロック図である。
【図２】本発明のメール作成装置を用いた電子メール作成支援方法の一例を説明するためのフロー図である。
【図３】本発明のメール作成装置が備える電話帳手段のグループ設定から件名を設定する際の動作例を説明するための図である。
【符号の説明】
【００５３】
１０…電子メール作成装置（携帯電話機）、１１…メール送信手段、１２…発信履歴手段、１３…着信履歴手段、１４…電話帳手段、１５…メール件名設定手段、１６…メール件名生成手段、１７…メール件名記憶手段、１８…メール件名編集手段、１９…メール本文設定手段、２０…メール本文記憶手段、２１…メール本文編集手段、２２…メール宛先設定手段、２３…音声通話手段。
【図１】
2005260555.tif 000003
【図２】
2005260555.tif 000004
【図３】
2005260555.tif 000005